(57)【要約】【課題】  室内に設けられたＴＶ端子に確実にネジ込み接続できる同軸プラグを提供することを目的とする。【解決手段】  同軸ケーブル８の端部に嵌装されて前記同軸ケーブルの外側導体に接続するシェル３、および前記シェルの外周上に嵌装され、前記シェルを、壁面取付型プレートに組み込まれた同軸レセプタクルに締め付け固定するための接続ナット２を有する同軸プラグにおいて、前記接続ナットは、前記壁面取付型プレートにおける前記前記同軸レセプタクルのプラグ接続用凹部から基端が突出するような長さを有し、その基端寄り外周上の位置に前記接続ナットの最大径より大きな外径を持つ滑り止めリング６が固定されたことを特徴とする同軸プラグ。【選択図】  図１
0003108222.tif 000002
【実用新案登録請求の範囲】
【請求項１】
同軸ケーブルの端部に嵌装されて前記同軸ケーブルの外側導体に接続するシェル、および前記シェルの外周上に嵌装され、前記シェルを、壁面取付型プレートに組み込まれた同軸レセプタクルに締め付け固定するための接続ナットを有する同軸プラグにおいて、
前記接続ナットは、前記壁面取付型プレートにおける前記前記同軸レセプタクルのプラグ接続用凹部から基端が突出するような長さを有し、その基端寄り外周上の位置に前記接続ナットの最大径より大きな外径を持つ滑り止めリングが固定された
ことを特徴とする同軸プラグ。
【請求項２】
請求項1記載の同軸プラグにおいて、
前記接続ナットは、基端に工具掛け代を残して前記滑り止めリングが設けられた
ことを特徴とする同軸プラグ。
【請求項３】
請求項１記載の同軸プラグにおいて、
前記接続ナットは、前記シェルとの間に介挿されたＣリングにより前記シェルに対して抜け止めが施された同軸プラグ。
【請求項４】
請求項１記載の同軸プラグにおいて、
前記滑り止めリングは、弾力のある材料により形成され、表面に滑り止め用凹凸がある
ことを特徴とする同軸プラグ。
【請求項５】
請求項1記載の同軸プラグにおいて、
前記シェルと前記同軸ケーブルとの繋ぎ部分に、柔軟な材料により形成され前記接続ナットの径よりも小さな径のカバーが設けられた
ことを特徴とする同軸プラグ。
【考案の詳細な説明】
【技術分野】
【０００１】
本考案は、同軸プラグに係わり、とくに壁面取付型プレートに組み込まれた同軸レセプタクルに接続する同軸プラグに関する。
【背景技術】
【０００２】
同軸ケーブルに組付けて用いられる同軸プラグとして、Ｃ１５規格のものとＣ１３規格のものがある。Ｃ１５規格は、Ｆ型座に対して接続ナットの回転ネジにより接続するものであり、Ｃ１３規格は、Ｆ型座に対してプッシュオン接続するものである。
【０００３】
Ｃ１５コネクタは、プラグがレセプタクルにネジ結合されるため、ケーブルを引っ張っても外れることがない、ネジで強く締め付けるために高周波信号の漏れが少なく、高周波的な接続性能が良好である等の特徴を有する。このため、高いシールド性能を要求されるデジタル信号用(放送用)として適している。
【０００４】
また、データ伝送の場合は、とくに人がケーブルに躓いてケーブルが外れることがないようにする必要がある。その意味でも、Ｃ１５コネクタが用いられる。
【考案の開示】
【考案が解決しようとする課題】
【０００５】
ここにおいて、図５に示すように、ＴＶ受像機を接続するために室内壁面に設けられているＴＶ端子の、Ｃ１５コネクタのレセプタクル２０は、壁面から突出させないためにプレートに沈み込んだ構造となっている。このため、同軸ケーブル１１に接続されたＣ１５プラグ１２を、接続ナットを回して繋ぎ込もうとしても指が入らず、最後まで締め込めない、という問題がある。
【０００６】
本考案は上述の点を考慮してなされたもので、室内に設けられたＴＶ端子に確実にネジ込み接続できる同軸プラグを提供することを目的とする。
【課題を解決するための手段】
【０００７】
上記目的達成のため、本考案は、
同軸ケーブルの端部に嵌装されて前記同軸ケーブルの外側導体に接続するシェル、および前記シェルの外周上に嵌装され、前記シェルを、壁面取付型プレートに組み込まれた同軸レセプタクルに締め付け固定するための接続ナットを有する同軸プラグにおいて、
前記接続ナットは、前記壁面取付型プレートにおける前記前記同軸レセプタクルのプラグ接続用凹部から基端が突出するような長さを有し、その基端寄り外周上の位置に前記接続ナットの最大径より大きな外径を持つ滑り止めリングが固定された
ことを特徴とする同軸プラグ、
を提供するものである。
【考案の効果】
【０００８】
本考案は上述のように、接続ナットの基端寄りに滑り止めリングを設けたため、指で滑り止めリングを操作して接続ナットの締め込みを行い、同軸プラグをレセプタクルに確実に固定することができる。
【考案を実施するための最良の形態】
【０００９】
以下、図1ないし図４を参照して本考案の実施例を説明する。
【実施例１】
【００１０】
図１(a),(b)は、本考案の一実施例を示した部分縦断面図および端面図である。この図１に示した実施例は、同軸コネクタの基本構造は従来のものと同様であるが、同軸コネクタのシェル上に嵌装される接続ナットに関連する構造的特徴を有するものである。
【００１１】
図1(a)に示すように、同軸コネクタとしての構成は、同軸ケーブルの中心導体に固着するピン１と接続ナット２、接続ナット２に接続されるシェル３を外側導体とするものであり、それぞれ同軸ケーブルの中心導体、外側導体に接続される。
【００１２】
シェル３は、ピンスペーサ４および同軸スペーサ５によりピン１もしくは同軸ケーブルの中心導体との同軸関係が形成されて、同軸コネクタの外側導体を構成する。
【００１３】
接続ナット２は、内周面に溝を有し、この溝とシェル３に対応して設けられた溝に嵌装されるＣリングにより両者間が係合されている。そして、接続ナット２の外周面には、合成樹脂製の滑り止めリング６が覆装されている。この合成樹脂は、弾力のあるものであることが望ましい。
【００１４】
滑り止めリング６の設置位置は、接続リング２の基端側つまり同軸ケーブル８寄りの部分であり、基端のごく一部が露出するように滑り止めリング４が覆装されている。ここで、滑り止めリング６は、その内周面に内側に突出するリング状突起６ａが形成されており、このリング状突起６ａが接続ナット２の外周面に設けられた周溝に圧入されて固定される。
【００１５】
シェル３の端部寄り部分は接続ナット２により覆われ、反対側の同軸ケーブル寄りの部分は、柔軟な樹脂製のカバー７により覆われている。
【００１６】
このように構成された結果、この同軸プラグの端面形状は、図１(b)に示すように、中心にピン１があり、その同軸上にスペーサ４、接続ナット２および滑り止めリング６が配置されている。
【００１７】
図２(a)，(b)は、滑り止めリング６の構造を詳細に示したものである。滑り止めリング６は、接続リング２の外周面に後付けするものであり、例えば図２(a)に示すように、接続ナット２の外周面に形成した周溝２ａに、滑り止めリング６の内周面になる面にリング状突起６ａを設けておき、このリング状突起６ａを周溝２ａに嵌入させる。これにより、図２(b)に示すように、接続ナット２の外周面に滑り止めリング６が固定される。
【００１８】
リング状突起６ａの幅は、周溝２ａの幅よりやや大きくするが、その程度は固着強度をどのようにするかに応じて設計的に決めればよい。また、滑り止めリング６の端部同士が互いに噛み合うようにして固定を強めてもよい。
【００１９】
図３は、シェル３の基端側断面を示している。この場合、シェル３は、同軸ケーブル８とともにカシメられており、同軸ケーブル８に対して同軸プラグが強固に固定された状態となっている。
【００２０】
図４は、シェル３と接続ナット２との係合関係を示しており、これら両者はＣリング９の介在により係合している。すなわち、シェル３の外周面に設けられた溝および接続ナット２の内周面に設けられた溝にＣリング９が嵌り、両者間を係合している。
【図面の簡単な説明】
【００２１】
【図１】本考案の一実施例の構成を示す説明図であり、図１(a)は部分縦断面図、図１(b)は端面図。
【図２】図２(a)，(b)は、図１の実施例に用いる滑り止めリングの分解斜視図および縦断面図。
【図３】同実施例に用いるシェルを同軸ケーブルに固定する方法を示す説明図。
【図４】同実施例におけるシェルと接続ナットとの係合関係を示す説明図。
【図５】従来の同軸プラグの接続状態を示す説明図。
【符号の説明】
【００２２】
１  ピン、２  接続ナット、３  シェル、４，５  スペーサ、
６  滑り止めリング、７  カバー、８  同軸ケーブル、９  Ｃリング、
１１  同軸ケーブル、１２  接続ナット、２０  同軸レセプタクル。
【図１】
0003108222.tif 000003
【図２】
0003108222.tif 000004
【図３】
0003108222.tif 000005
【図４】
0003108222.tif 000006
【図５】
0003108222.tif 000007